Podtech/llm-jp-corpus-v4-ja_patent huggingface dataset:
【手続補正書】
【提出日】平成21年10月9日(2009.10.9)
【手続補正１】
【補正対象書類名】特許請求の範囲
【補正対象項目名】全文
【補正方法】変更
【補正の内容】
【特許請求の範囲】
【請求項１】
データ・ソースからデータ・シンクにデータ・フローを転送する方法であって、
前記データ・フローが複数のデータ・セットからなり、
前記方法は、
ａ）前記データ・ソースの側でデータ・パケットを送信するステップと、
ｂ）前記データ・シンクの側で前記データ・パケットを受信するステップと、
ｃ）バッファ・メモリ内に前記データ・パケットを一時的に保存するステップと、
ｄ）前記バッファ・メモリ内の前記データ・パケットのデータを復号化するステップと、
を含み、さらに、
ｅ）データ識別のための識別子と結合された、別の動作モードへの変更を求めるリクエストを受信するステップと、
ｆ）前記識別子と結合されていないデータ・パケットを前記バッファ・メモリから除去するステップと、
ｇ）前記データ・ソースの側で、前記識別子を送信して後続するデータ・パケットが新たな動作モードに従って送信されることを指定するステップと、
ｈ）前記データ・シンクの側で、前記識別子およびデータ・パケットを受信するステップと、
ｉ）前記データ・パケットを前記バッファ・メモリ内に一時的に保存するステップと、
ｊ）前記識別子が前記データ・パケットより前または一緒に受信されたかどうかをチェックし、前記識別子が前記データ・パケットより前または一緒に受信された場合には、前記バッファ・メモリ内の前記データ・パケットのデータを復号化するステップと、
を含むことを特徴とする、前記方法。
【請求項２】
前記識別子が、規則的な間隔で前記データ・フローに挿入される請求項１に記載の方法。
【請求項３】
前記識別子が、データ通信のＯＳＩ／ＩＳＯレイヤーのモデルに従ってトランスポート・レイヤー上のデータ・フローに挿入される請求項１または２に記載の方法。
【請求項４】
前記識別子が、トランスポート・パケットの部分である請求項３に記載の方法。
【請求項５】
前記データ・フローは、「かたまり転送符号化」モードでＨＴＴＰプロトコル、アナログ・ハイパー・テキスト転送プロトコルに従って転送され、前記識別子は、ＨＴＴＰデータ・パケットにおけるコメント文字列としてブロック長の表示の後に挿入される請求項１〜４のいずれか１項に記載の方法。
【請求項６】
前記データ・フローは、ＲＴＰプロトコル、アナログ・リアル・タイム・プロトコルに従って転送され、前記識別子は、ＲＴＰデータ・パケットの追加のヘッダ内に挿入される請求項１〜５のいずれか１項に記載の方法。
【請求項７】
絶対的なデータ位置および／または再生時間位置が追加的にデータ・パケット内で示される請求項１〜６のいずれか１項に記載の方法。
【請求項８】
請求項１〜７のいずれか１項に記載の方法を実行するデータ・シンク装置であって、送受信用インタフェースと、復号化ユニットと、別の動作モードへの変更を求めるリクエストを生成する手段とを備え、
データ・ソース装置に対して、前記送受信用インタフェースを介して、前記リクエストが識別子と組み合わされて送信され、
記憶装置管理手段が設けられ、当該記憶装置管理手段は、前記リクエストが生成された後、１つまたは複数のデータ・パケットを前記バッファ・メモリから除去し、前記識別子と組み合わされたデータ・パケットの時点で前記データ・パケットの復号化を行うことを特徴とする、前記データ・シンク装置。
【請求項９】
前記記憶装置管理手段が、前記識別子と共にデータ・パケットを前記バッファ・メモリ内に保存するように設計されていることを特徴とする請求項８に記載のデータ・シンク装置。
【請求項１０】
請求項１〜７のいずれか１項に記載の方法を実行するためのデータ・ソース装置であって、送受信用インタフェースと、大容量記憶装置ユニットと、第１および第２の動作モードに従ってデータ・フローを提供する手段とを備え、
別の動作モードへの変更を求めるリクエストを受信した後、前記データ・フローを提供する手段が前記リクエストに従ったリクエストされた動作モードの識別子を含むデータ・フローを発生させることを特徴とする、前記データ・ソース装置。
【請求項１１】
前記提供手段が規則的な間隔で前記データ・フロー内に前記識別子を挿入する請求項１０に記載のデータ・ソース装置。
【請求項１２】
前記提供手段が前記識別子をトランスポート・パケット内に挿入する請求項１０または１１のいずれかに記載のデータ・ソース装置。
【請求項１３】
前記提供手段が、前記識別子を前記各トランスポート・パケットの部分として前記データ・フローに挿入する請求項１２に記載のデータ・ソース装置。
【請求項１４】
前記提供手段が、「かたまり転送符号化」モードでＨＴＴＰプロトコルに従ってデータ・フローを発生させ、ＨＴＴＰパケットにおけるコメント文字列としてブロック長の表示の後に識別子を挿入する請求項１０〜１３のいずれか１項に記載のデータ・ソース装置。
【請求項１５】
前記提供手段は、ＲＴＰプロトコル、アナログ・リアル・タイム・プロトコルに従ってデータ・フローを発生させ、前記識別子をＲＴＰトランスポート・パケットの追加のヘッダ内に挿入する、請求項１０〜１３のいずれか１項に記載のデータ・ソース装置。
【請求項１６】
請求項１〜７のいずれか１項に記載の方法を実行する装置であって、データ・ソースおよびデータ・シンクと、第１および第２の動作モードに従ってデータ・フローを提供する手段と、復号化ユニットおよび当該復号化ユニットのためのバッファ・メモリと、識別子と組み合わされる別の動作モードへの変更を求めるリクエストを生成する手段とを備え、
前記動作モードの変更を求めるリクエストを受信した後、前記データ・フローを提供する手段は、前記リクエストに従った前記リクエストされた動作モードの識別子を含むデータ・フローを発生させ、前記バッファ・メモリのために記憶装置管理手段が設けられ、当該記憶装置管理手段は、前記リクエストが生成された後、前記バッファ・メモリから１つ以上のデータ・パケットを除去し、前記識別子に組み合わされたデータ・パケットの時点で前記データ・パケットを復号化することを特徴とする、前記装置。
【手続補正書】
【提出日】平成21年9月4日(2009.9.4)
【手続補正１】
【補正対象書類名】特許請求の範囲
【補正対象項目名】全文
【補正方法】変更
【補正の内容】
【特許請求の範囲】
【請求項１】
（ａ）誘導性プロモーターに作動可能に連結したタンパク質をコードする核酸を準備すること、
（ｂ）該核酸を宿主細胞に導入し、該核酸を含む該宿主細胞を増殖させて該宿主細胞の培養物を生成すること、
（ｃ）該培養物を(1)１つまたは複数のＰｍｔ媒介性Ｏ−結合型グリコシル化阻害剤および(2)１つまたは複数のα−１，２−マンノシダーゼ酵素のうちの片方あるいは両方と接触させること、ならびに
（ｄ）該１つまたは複数の阻害剤および該１つまたは複数のα−１，２−マンノシダーゼ酵素の存在下で該宿主細胞によって生成された糖タンパク質を単離して、Ｏ−結合型グリコシル化が減少しているタンパク質を生成すること
を含む、Ｏ−結合型グリコシル化が減少しているタンパク質を生成する方法。
【請求項２】
培養物を、核酸を有する多数の宿主細胞を得るのに十分な時間増殖させてから、該培養物を１つまたは複数のＰｍｔ媒介性Ｏ−結合型グリコシル化阻害剤あるいは１つまたは複数のα−１，２−マンノシダーゼ酵素と接触させる、請求項１に記載の方法。
【請求項３】
核酸が、誘導性プロモーターに作動可能に連結している、請求項１に記載の方法。
【請求項４】
培養物を、核酸を有する多数の宿主細胞を得るのに十分な時間増殖させてから、該培養物を１つまたは複数のＰｍｔ媒介性Ｏ−結合型グリコシル化阻害剤およびプロモーターの誘導因子と接触させてタンパク質の発現を誘導し、該１つまたは複数の阻害剤および該誘導因子の存在下で該宿主細胞によって生成されたタンパク質を単離して、Ｏ−結合型グリコシル化が減少しているタンパク質を生成する、請求項３に記載の方法。
【請求項５】
培養物をプロモーターの誘導因子と接触させてタンパク質の発現をある時間誘導してから、該培養物を１つまたは複数のＰｍｔ媒介性Ｏ−結合型グリコシル化阻害剤と接触させ、該１つまたは複数の阻害剤および該誘導因子の存在下で該宿主細胞によって生成されたタンパク質を単離して、Ｏ−結合型グリコシル化が減少しているタンパク質を生成する、請求項３に記載の方法。
【請求項６】
１つまたは複数のα−１，２−マンノシダーゼ酵素をコードする第二の核酸が準備され、該第二の核酸が宿主細胞に導入される、請求項１に記載の方法。
【請求項７】
誘導性プロモーターに作動可能に連結された１つまたは複数のα−１，２−マンノシダーゼ酵素をコードする第二の核酸が準備され、該第二の核酸が宿主細胞に導入される、請求項１に記載の方法。
【請求項８】
培養物を、多数の宿主細胞を得るのに十分な時間増殖させてから、タンパク質および１つまたは複数のα−１，２−マンノシダーゼ酵素の発現を誘導してＯ−結合型グリコシル化が減少しているタンパク質を生成する、請求項７に記載の方法。
【請求項９】
タンパク質の発現をある時間誘導してから、１つまたは複数のα−１，２−マンノシダーゼ酵素の発現を誘導してＯ−結合型グリコシル化が減少しているタンパク質を生成させる、請求項７に記載の方法。
【請求項１０】
Ｏ−結合型グリコシル化を阻害することができる１つまたは複数のα−１，２−マンノシダーゼ酵素の発現をある時間誘導してから、タンパク質の発現を誘導してＯ−結合型グリコシル化が減少しているタンパク質を生成する、請求項７に記載の方法。
【請求項１１】
１つまたは複数の阻害剤が、ベンジリデンチアゾリジンジオンである、請求項１に記載の方法。
【請求項１２】
１つまたは複数の阻害剤が、５−［［３，４−ビス（フェニルメトキシ）フェニル］メチレン］−４−オキソ−２−チオキソ−３−チアゾリジン酢酸、５−［［３−（１−フェニルエトキシ）−４−（２−フェニルエトキシ）］フェニル］メチレン］−４−オキソ−２−チオキソ−３−チアゾリジン酢酸、および５−［［３−（１−フェニル−２−ヒドロキシ）エトキシ）−４−（２−フェニルエトキシ）］フェニル］メチレン］−４−オキソ−２−チオキソ−３−チアゾリジン酢酸からなる群より選択される、請求項１に記載の方法。
【請求項１３】
α−１，２−マンノシダーゼが、トリコデルマ・レエセイ、サッカロミセス種、またはアスペルギルス種由来である、請求項１に記載の方法。
【請求項１４】
宿主細胞が真菌細胞または酵母細胞である、請求項１に記載の方法。
【請求項１５】
宿主細胞が、Ｋ．ラクチス、ピキア・パストリス、ピキア・メタノリカ、およびハンゼヌラからなる群より選択される、請求項１に記載の方法。
【請求項１６】
宿主細胞が、優勢なＮ−グリカングリコフォームを有する糖タンパク質を生成するように遺伝子改変されている、酵母または糸状菌細胞である、請求項１に記載の方法。
【請求項１７】
宿主細胞が、Ｎ−グリコシル化パターンがヒト様であるかまたはヒト化されている糖タンパク質を生成するように遺伝子改変されている、請求項１に記載の方法。
【請求項１８】
Ｎ−グリカン構造の優勢種を含みＯ−結合型グリコシル化が減少している、糖タンパク質組成物。
【請求項１９】
Ｎ−グリカン構造が、Ｍａｎ５ＧｌｃＮＡｃ２、Ｍａｎ３ＧｌｃＮＡｃ２、ＧｌｃＮＡｃＭａｎ５ＧｌｃＮＡｃ２、ＧｌｃＮＡｃＭａｎ３ＧｌｃＮＡｃ２、ＧｌｃＮＡｃ２Ｍａｎ３ＧｌｃＮＡｃ２、ＧａｌＧｌｃＮＡｃＭａｎ５ＧｌｃＮＡｃ２、Ｇａｌ（ＧｌｃＮＡｃ）２Ｍａｎ５ＧｌｃＮＡｃ２、（ＧａｌＧｌｃＮＡｃ）２Ｍａｎ５ＧｌｃＮＡｃ２、ＮＡＮＡＧａｌＧｌｃＮＡｃＭａｎ３ＧｌｃＮＡｃ２、ＮＡＮＡ２Ｇａｌ２ＧｌｃＮＡｃＭａｎ３ＧｌｃＮＡｃ２、およびＧａｌＧｌｃＮＡｃＭａｎ３ＧｌｃＮＡｃ２からなる群より選択される、請求項１８に記載の糖タンパク質。
【手続補正書】
【提出日】平成21年10月22日(2009.10.22)
【手続補正１】
【補正対象書類名】特許請求の範囲
【補正対象項目名】全文
【補正方法】変更
【補正の内容】
【特許請求の範囲】
【請求項１】
持続性カルシニューリン活性を有する造血性腫瘍を治療するための薬物の調製のためのカルシニューリン阻害剤の使用。
【請求項２】
前記カルシニューリン阻害剤が癌治療法と組み合わせて使用され、好ましくは、癌化学療法、免疫療法、放射線治療、ホルモンまたはサイトカイン治療法、造血性腫瘍治療のために使用されるあらゆるその他の治療法、およびそれらの併用からなる群から選択され、好ましくは癌化学療法である、請求項１に記載の使用。
【請求項３】
前記カルシニューリン阻害剤が、シクロスポリンＡ、ＦＫ５０６、ＦＫ５２０、Ｌ６８５，８１８、Ｌ７３２，７３１、ＩＳＡＴＸ２４７、ＦＫ５２３、および１５−０−ＤｅＭｅ−ＦＫ−５２０からなる群から選択される、請求項１または２に記載の使用。
【請求項４】
前記カルシニューリン阻害剤がＦＫ５０６である、請求項３に記載の使用。
【請求項５】
前記造血性腫瘍がリンパ腫および／または白血病である、請求項１〜４のいずれか一項に記載の使用。
【請求項６】
処置する対象が前記対象から単離された造血性腫瘍細胞内に好ましくはＮＦＡＴであるカルシニューリンの脱リン酸化された基質を呈する、請求項１〜５のいずれか一項に記載の使用。
【請求項７】
前記カルシニューリン阻害剤が２〜７週間、好ましくは４〜６週間対象に投与される、請求項１〜６のいずれか一項に記載の使用。
【請求項８】
薬物が寛解療法のために使用される、請求項１〜７のいずれか一項に記載の使用。
【請求項９】
対象から単離された造血性腫瘍細胞内のカルシニューリン活性を判定する工程と、腫瘍細胞を有する対象を持続性カルシニューリン活性によって選択する工程とを含んでなる、カルシニューリン阻害剤によって処置する造血性腫瘍を有する対象を選択する方法。
【請求項１０】
対象から単離された造血性腫瘍細胞内のカルシニューリン活性を判定する工程を含んでなり、前記細胞の持続性カルシニューリン活性が処置に対するポジティブ応答性の指標である、造血性腫瘍を有する前記対象のカルシニューリン阻害剤による処置に対する応答性を評価する方法。
【請求項１１】
前記カルシニューリン阻害剤が、シクロスポリンＡ、ＦＫ５０６、ＦＫ５２０、Ｌ６８５，８１８、Ｌ７３２，７３１、ＩＳＡＴＸ２４７、ＦＫ５２３、および１５−０−ＤｅＭｅ−ＦＫ−５２０からなる群から選択される、請求項９または１０に記載の方法。
【請求項１２】
前記カルシニューリン阻害剤がＦＫ５０６である、請求項１１に記載の方法。
【請求項１３】
前記造血性腫瘍がリンパ腫および／または白血病である、請求項９〜１２のいずれか一項に記載の方法。
【請求項１４】
対象から単離された造血性腫瘍細胞内のカルシニューリン活性を判定する工程を含む、前記対象中の造血性腫瘍を病期分類または特性決定する方法。
【請求項１５】
持続性カルシニューリン活性が、侵襲能力、転移能、および／または再発確率の指標である、請求項１４に記載の方法。
【請求項１６】
カルシニューリン活性が、好ましくはＮＦＡＴであるカルシニューリンの基質のリン酸化を評価することで判定され、脱リン酸化された基質が持続性カルシニューリン活性の指標である、請求項９〜１３、１４、および１５のいずれか一項に記載の方法。
【請求項１７】
ＦＫ５０６および抗癌剤を含んでなる医薬組成物。
【請求項１８】
持続性カルシニューリン活性を有する造血性腫瘍の処置における同時、別々または逐次の使用のための組み合わせられた調製品としてのＦＫ５０６および抗癌剤を含有する製品。
【手続補正書】
【提出日】平成21年11月6日(2009.11.6)
【手続補正１】
【補正対象書類名】特許請求の範囲
【補正対象項目名】全文
【補正方法】変更
【補正の内容】
【特許請求の範囲】
【請求項１】
コンピュータ実施の方法であって、
地理的位置に関連する検索クエリーを携帯デバイスにおいて受信するステップと、
前記検索クエリーに応答して、それぞれが地理的位置と関連する１つまたは複数の検索結果を提供するステップと、
アイコンを携帯デバイスのグラフィカルディスプレイ上に提示するステップと
を含み、
前記アイコンのそれぞれは、検索結果に対応すると共に前記携帯デバイス上の入力キーに対応するものであり、且つ、前記対応するキー上の可視的ラベルと一致する可視的ラベルを有する方法。
【請求項２】
請求項１に記載の方法において、前記検索クエリーを前記携帯デバイスと以前に関連した地理的位置とを結合させるステップをさらに含む方法。
【請求項３】
請求項１に記載の方法において、前記１つまたは複数の検索結果を電話機キーパッドの数字に対応する数字を付したアイコンとして提示する方法。
【請求項４】
請求項１に記載の方法において、第１のキーの選択に応答して第１の検索結果に関する初期のテキストまたは図的情報を提示するステップをさらに含む方法。
【請求項５】
請求項４に記載の方法において、第２のキーの選択に応答して前記第１の結果に関する追加のテキストまたは図的情報を提示するステップをさらに含む方法。
【請求項６】
請求項５に記載の方法において、前記初期のまたは追加のテキストまたは図的情報は、前記第１の検索結果に関連する電話番号のクリック呼出し選択を含む方法。
【請求項７】
請求項６に記載の方法において、前記初期のまたは追加のテキストまたは図的情報は、選択された場合に前記第１の検索結果に関連する位置への道案内を提供する道案内選択を含む方法。
【請求項８】
請求項４に記載の方法において、前記検索結果に関連する前記位置への道案内に関連する複数の通過地点標識を前記グラフィカルディスプレイ上に提示するステップと、各通過地点の選択に応答して各通過地点に関連する道案内を提示するステップとをさらに含む方法。
【請求項９】
請求項４に記載の方法において、直近のクエリーまたは位置に関する情報を記憶するステップ、および、ユーザの選択に応答して位置または前記直近のクエリーの内の直近の第１のものを送信するステップをさらに含む方法。
【請求項１０】
請求項１に記載の方法において、前記アイコンの内の第１のものを選択のためにハイライトするステップ、および、ユーザが入力する方向に応答して前記アイコンの内の第２のものに前記ハイライトを移すステップをさらに含む方法。
【請求項１１】
請求項１に記載の方法において、前記ディスプレイにない検索結果の前記存在を示すアイコンを前記グラフィカルディスプレイの１つまたは複数の端部の近くに提示するステップをさらに含む方法。
【請求項１２】
請求項１に記載の方法において、前記地理的位置を前記検索クエリーの一部として提供する方法。
【請求項１３】
命令を含み、コンピュータ読み取り可能な記憶デバイスに有形的に具現されたコンピュータプログラムであって、
前記命令は、実行されると、
地理的位置に関連する検索クエリーの携帯デバイスにおける受信するステップと、
前記検索クエリーに応答して、それぞれが地理的位置と関連する１つまたは複数の検索結果の提供するステップと、
アイコンを携帯デバイスのグラフィカルディスプレイ上に提示するステップと
を実施し、
前記アイコンのそれぞれは、検索結果に対応すると共に前記携帯デバイス上の入力キーに対応するものであり、且つ、前記対応するキー上の可視的ラベルと一致する可視的ラベルを有するコンピュータプログラム。
【請求項１４】
請求項１３に記載のコンピュータプログラムにおいて、前記１つまたは複数の検索結果を電話機キーパッドの数字に対応する数字を付したアイコンとして提示するコンピュータプログラム。
【請求項１５】
請求項１３に記載のコンピュータプログラムにおいて、実行されれば、第１のキーの選択に応答して第１の検索結果に関する初期のテキストまたは図的情報を提示する命令をさらに有するコンピュータプログラム。
【請求項１６】
請求項１５に記載のコンピュータプログラムにおいて、実行されれば、第２のキーの選択に応答して前記第１の結果に関する追加のテキストまたは図的情報を提示する命令をさらに有するコンピュータプログラム。
【請求項１７】
請求項１３に記載のコンピュータプログラムにおいて、実行されれば、前記検索結果に関連する前記位置への道案内に関連する複数の通過地点標識を前記グラフィカルディスプレイ上に提示し、各通過地点の選択に応答して各通過地点に関連する道案内を提示する命令をさらに有するコンピュータプログラム。
【請求項１８】
請求項１３に記載のコンピュータプログラムにおいて、直近のクエリーまたは位置に関する情報をさらに記憶し、実行されれば、ユーザの選択に応答して位置または前記直近のクエリーの内の第１のものを提示する命令を有するコンピュータプログラム。
【請求項１９】
携帯コンピュータ実施のローカル検索システムであって、
サーバーデバイスのプロセッサに設けられ、クライアントデバイスから位置情報を受信し、前記受信に応答して、対応する地図および検索結果情報を送信するインタフェースと、
前記インタフェースにより表示するための複数のタイルを保持するマシン読み取り可能な記憶デバイスに含まれる地図タイル記憶装置と、
前記クライアントデバイスの一部であるデータエントリーキーへの索引が付された検索結果を生成する手段と
を備え、
前記検索結果のそれぞれは、前記対応するデータエントリーキー上の可視的ラベルと一致する可視的ラベルを有するアイコンに対応するシステム。
【請求項２０】
コンピュータ実施の方法であって、
地理的位置と関連する検索クエリーを検索エンジンシステムが受信するステップと、
前記検索クエリーに応答して、地理的位置と関連する１又は２以上の検索結果を携帯デバイスに提供するステップと、
前記携帯デバイスのグラフィカルディスプレイ上に提示するために前記携帯デバイスにアイコンを提供するステップと
を含み、
前記アイコンのそれぞれは、検索結果に対応すると共に前記携帯デバイス上の入力キーに対応するものであり、且つ、前記対応するキー上の可視的ラベルと一致する可視的ラベルを有する方法。
【手続補正書】
【提出日】平成21年10月21日(2009.10.21)
【手続補正１】
【補正対象書類名】特許請求の範囲
【補正対象項目名】全文
【補正方法】変更
【補正の内容】
【特許請求の範囲】
【請求項１】
多孔質要素の片側でＲＦ信号を送信する段階と、
前記多孔質要素の反対側で前記ＲＦ信号の信号レベルを複数の離散的周波数で検出する段階であって、前記検出されたＲＦ信号は、前記多孔質要素を横切り、ＲＦ信号の送信に際して送信されたＲＦ信号を前記離散的周波数を通してスウィープさせたものである、検出段階と、
無傷の多孔質要素を使用して検出した信号レベルから基線の信号強度指標を確立する段階と、
前記検出された信号レベルから有効な信号強度指標を生成する段階と、
前記有効な信号強度指標を前記基線の信号強度指標に対して比較して、前記多孔質要素中の破損を検出する段階と
を含む、材料セパレータ内の多孔質要素中の破損を検出する方法。
【請求項２】
前記基線の信号強度指標を確立する段階が、２つ以上の検出した信号レベルを平均する段階を含む請求項１に記載の方法。
【請求項３】
ＲＦエネルギー及び材料の流れが通過可能な経路が貫通し、しかしてＲＦエネルギに対する障壁となるシールドを材料セパレータ内に形成する段階と、
前記経路を充分横切って前記多孔質要素を配置する段階であって、前記多孔質要素が導電性とする、配置段階と、
多孔質要素の片側でＲＦ信号を送信する段階と、
前記多孔質要素の反対側で前記ＲＦ信号の信号レベルを複数の離散的周波数で検出する段階であって、前記検出されたＲＦ信号は、前記多孔質要素を横切り、ＲＦ信号の送信に際して送信されたＲＦ信号を前記離散的周波数を通してスウィープさせたものである、検出段階と、
無垢の多孔質要素を使用して検出した信号レベルから基線の信号強度指標を確立する段階と、
前記検出された信号レベルから有効な信号強度指標を生成する段階と、
前記有効な信号強度指標を前記基線の信号強度指標に対して比較して、前記多孔質要素中の破損を検出する段階と
を含む、材料セパレータ内の多孔質要素中の破損を検出する方法。
【手続補正書】
【提出日】平成21年10月28日(2009.10.28)
【手続補正１】
【補正対象書類名】特許請求の範囲
【補正対象項目名】全文
【補正方法】変更
【補正の内容】
【特許請求の範囲】
【請求項１】
試料成分のクロマトグラフィーによる分離における移動固体相に用いる、重合体の心部と被覆部を含む粒子であって、
該粒子は20nm〜10μmの間の大きさであり、該重合体の心部は該被覆部が親水性であるときは疎水性であり、該重合体の心部は該被覆部が疎水性であるときは親水性であり、該被覆部は該心部と共有結合し、それにより該重合体心部は少なくとも1種の分析試料との相互作用に適しそして該被覆部は本質的に液体中での凝集又は一般凝集を妨げるのに適する、ことを特徴とする粒子。
【請求項２】
該心部が架橋した重合体を含む、請求項１に記載の粒子。
【請求項３】
該心部が帯電している、請求項1に記載の粒子。
【請求項４】
該粒子が両性イオン性である、請求項１に記載の粒子。
【請求項５】
該粒子が単分散である、請求項1に記載の粒子。
【請求項６】
該心部が、黒鉛、酸化チタン、アガロース、アルミナ、重合体であってメタクリル酸エステル、ビニルピリジン、アクリル酸エステル、スチレン、ジビニルベンゼン、及びシランの群から選ばれた1種又は数種のモノマーから重合されたもの、を含む、請求項1に記載の粒子。
【請求項７】
該被覆部が、直鎖重合体、分岐鎖重合体、交互共重合体、及び/又はブロック共重合体を含む、請求項１に記載の粒子。
【請求項８】
該重合体及び/又は共重合体が、ポリエチレングリコール、ポリプロピレングリコール、ポリビニルアルコール、及び/又はポリエチレンイミンからなる群から選ばれる、請求項７に記載の粒子。
【請求項９】
該重合体及び/又は共重合体が、エーテル、エステル、燐酸残基、ホスホン酸類、1級アミン、2級アミン、3級アミン、4級アミン、エポキシド、カルボン酸、スルホン酸、及び水酸基からなる群から選ばれる1種又は数種の官能基を含む、請求項７に記載の粒子。
【請求項１０】
該被覆部が、エステル、エーテル、1級アミン、2級アミン、3級アミン、4級アミン、エポキシド、硫酸塩、スルホン酸、カルボン酸、水酸基、燐酸残基、ホスホン酸、及び/又はアミドからなる群から選ばれる1種又は数種の官能性基を含む小分子で構成されている、請求項１に記載の粒子。
【請求項１１】
該小分子が10g/mol〜10,000g/molの範囲の分子量を持つ、請求項１０に記載の粒子。
【請求項１２】
該被覆部が炭化水素又はフッ素化炭化水素からなる、請求項１に記載の粒子。
【請求項１３】
該被覆部が、蛋白質、ＤＮＡ、ＲＮＡ、セルロース、デンプン、再生セルロース、改質デンプン、及び/又は改質セルロースからなる群の1種又は数種からなる、請求項１に記載の粒子。
【請求項１４】
請求項1に記載の粒子の製造法であって、該心部は重合体であり、心部形成及び被覆部形成工程を含み、該心部形成工程は沈殿重合又は乳化重合を含み、そして該被覆部形成工程は該心部に他の重合体を共有結合させることを含み、該粒子は20nm〜10μmの間の大きさであり、該心部は該被覆部が親水性であるときは疎水性であり、該心部は該被覆部が疎水性であるときは親水性である、方法。
【請求項１５】
少なくとも1種の分析試料をクロマトグラフィーにより他の試料成分から分離し、且つ少なくとも1種の分析試料を検出し、その際該検出を角度付きイオン化源を用いる質量分析によって行う、請求項１から１４のいずれか1項に記載の粒子の使用。
【手続補正書】
【提出日】平成21年10月29日(2009.10.29)
【手続補正１】
【補正対象書類名】特許請求の範囲
【補正対象項目名】全文
【補正方法】変更
【補正の内容】
【特許請求の範囲】
【請求項１】
回路基板上の感知可能な構成要素を組み立てるために用いられるツールに対して、前記回路基板上の感知可能な構成要素が曝露される、ことを監視する装置であって、
回路基板にツールが触れる時、前記回路基板へ加えられる電圧及び電流のうち１つを直接に測定する、測定回路と、
前記ツールが前記回路基板に触れる時、前記回路基板へ加えられる電圧及び電流のうち１つを示す信号を生成する、回路と、を含む装置。
【請求項２】
回路基板上の感知可能な構成要素を組み立てるために用いられるツールによって、前記回路基板上の感知可能な構成要素が曝露される、ことを監視する方法であって、
監視装置を前記回路基板の伝導部分へ直接に接続するステップと、
ツールによって前記回路基板へ加えられる電圧及び電流のうち１つを、前記監視装置を用いて測定するステップと、
前記ツールによって前記回路基板へ加えられる電圧及び電流のうち１つを示す信号を生成するステップと、を含む、方法。
【手続補正書】
【提出日】平成21年11月6日(2009.11.6)
【手続補正１】
【補正対象書類名】特許請求の範囲
【補正対象項目名】全文
【補正方法】変更
【補正の内容】
【特許請求の範囲】
【請求項１】
被験体における神経疾患のスクリーニング又はその診断若しくは予後のための、被験体におけるこのような神経疾患の段階又は重症度を決定するための、このような神経疾患を発病するリスクのある被験体を同定するための、又はこのような神経疾患を有する被験体に施される療法の効果をモニターするための方法であって：
(a)表1に列記されたタンパク質アイソフォーム番号1-6から選択される少なくとも１つのタンパク質アイソフォームを含む、被験体からの体液又は組織の試験試料を解析すること；及び、
(b)前記試験試料中の前記タンパク質アイソフォーム(群)の存在量を、1人以上の神経疾患がないヒトからの試験試料中の前記タンパク質アイソフォーム(群)の存在量と、又は神経疾患がない被験体におけるそのタンパク質アイソフォームについて前もって決定された基準範囲と比較することを含み、前記神経疾患のより進行した状態の診断又はそのスクリーニングにおける陽性結果又はその予後を、1人以上の神経疾患がないヒトからの試験試料中の該タンパク質アイソフォーム(群)の存在量、又は神経疾患がない被験体におけるそのタンパク質アイソフォームについて前もって決定された基準範囲と比べ、試験試料中の該タンパク質アイソフォーム(群)の増加した存在量により示す、前記方法。
【請求項２】
前記試料がCSF、血液、又は脳組織の試料である、請求項1記載の方法。
【請求項３】
前記工程(b)が、表Iに列記されたタンパク質アイソフォームから選択された1つ以上のタンパク質アイソフォーム(群)を定量的に検出することを含み、
該定量的に検出する工程が、前記試料の少なくとも１つの一定分量を試験することを含み、
該試験工程が：
(a)前記一定分量を、予め選択されたタンパク質アイソフォームに対して免疫特異的な親和性試薬と接触させること、及び、
(b)前記親和性試薬と前記一定分量の少なくとも1種との間に生じた何らかの結合を定量的に測定すること、
を含む、請求項1又は2記載の方法。
【請求項４】
被験体における神経疾患のスクリーニング又はその診断若しくは予後のための、被験体におけるこのような神経疾患の段階又は重症度を決定するための、このような神経疾患を発病するリスクのある被験体を同定するための、又はこのような神経疾患を有する被験体に施される療法の効果をモニターするための方法であって：
試験被験体のCSF又は脳組織中の該タンパク質アイソフォーム(群)の存在量を、1人以上の神経疾患がないヒトからのCSF又は脳組織中の該タンパク質アイソフォーム(群)の存在量と、又は神経疾患がない被験体におけるそのタンパク質アイソフォームについて前もって決定された基準範囲と比較することを含み、前記神経疾患のより進行した状態の診断又はそのスクリーニングにおける陽性結果又はその予後を、1人以上の神経疾患がないヒトからのCSF又は脳組織中の該タンパク質アイソフォーム(群)の存在量、又は神経疾患がない被験体におけるそのタンパク質アイソフォームについて前もって決定された基準範囲と比べ、被験体のCSF又は脳組織中の該タンパク質アイソフォーム(群)の増加した存在量により示す、前記方法。
【請求項５】
前記CSF又は脳組織中のタンパク質アイソフォームの存在量が、PET、SPECT、標識されたアフィボディー、又は、標識された抗体の使用に関連するイメージング技術により決定される、請求項4記載の方法。
【請求項６】
前記被験体が、ニコチン経路において作用する薬物で治療されており、かつ前記方法は治療を最適化するために使用される、又は、前記方法が、ニコチン経路において作用する薬物の評価のため、薬物を試験するため、又は薬物で治療するための患者を層別化するために使用される、請求項1〜5のいずれか1項記載の方法。
【請求項７】
表Iに列記されたタンパク質アイソフォーム番号1-6から選択された1つのタンパク質アイソフォームを含む医薬製剤。
【請求項８】
表Iに列記されたタンパク質アイソフォーム番号1-6から選択された1つのタンパク質アイソフォームに免疫特異的に結合することが可能である親和性試薬。
【請求項９】
前記親和性試薬が、抗体、ドメイン抗体、又はアフィボディーである、請求項3又は8記載の親和性試薬。
【請求項１０】
モノクローナル抗体である、請求項9記載の抗体。
【請求項１１】
請求項8〜10のいずれか1項記載の親和性試薬の治療的有効量、又は、請求項8〜10のいずれか1項記載の親和性試薬の断片もしくは誘導体の治療的有効量；及び医薬として許容し得る担体を含む医薬組成物であって、
前記断片又は誘導体が、前記親和性試薬の結合ドメインを含む、前記医薬組成物。
【請求項１２】
請求項8〜10のいずれか1項記載の親和性試薬、又は、請求項11記載の医薬組成物を含む、神経疾患の治療、予防、診断又は予後のためのスクリーニング用キット。
【請求項１３】
神経疾患の診断、予後、治療又は予防における、請求項8〜10のいずれか1項記載の治療的有効量の親和性試薬、又は、請求項11記載の医薬組成物。
【請求項１４】
神経疾患の診断、予後、治療又は予防のための、表Iに列記されたタンパク質アイソフォーム番号1-6から選択されたタンパク質アイソフォームの機能を調節する治療的有効量の薬剤。
【請求項１５】
前記神経疾患が、アルツハイマー病、パーキンソン病、多発性硬化症、又は鬱病である、請求項1〜14のいずれかに記載の方法、親和性試薬、又はキット。
【手続補正書】
【提出日】平成21年6月16日(2009.6.16)
【手続補正１】
【補正対象書類名】特許請求の範囲
【補正対象項目名】請求項９
【補正方法】変更
【補正の内容】
【請求項９】
疾患を有する人間の患者のための治療選択方法であって、
（ａ）対照群のそれぞれから採取された対照試料中の可溶性ＶＥＧＦ−Ｒ２タンパク質の平均濃度を免疫学的に検出及び定量し、
（ｂ）経時的に患者から採取した同等の患者試料中の可溶性ＶＥＧＦ−Ｒ２タンパク質濃度における逐次変化を免疫学的に検出及び定量し、
（ｃ）患者試料中のＶＥＧＦ−Ｒ２タンパク質濃度を対照試料中の可溶性ＶＥＧＦ−Ｒ２タンパク質の平均濃度と比較する、
各工程を含み、
患者試料中の可溶性ＶＥＧＦ−Ｒ２タンパク質濃度と対照試料中の可溶性ＶＥＧＦ−Ｒ２タンパク質の平均濃度との差異及び患者試料中の可溶性ＶＥＧＦ−Ｒ２タンパク質濃度の逐次変化に基づいて、従来の治療及び／またはＶＥＧＦ経路を標的とする治療を患者に用いるか否かが決定されることを特徴とする方法。
【手続補正書】
【提出日】平成21年10月6日(2009.10.6)
【手続補正１】
【補正対象書類名】特許請求の範囲
【補正対象項目名】全文
【補正方法】変更
【補正の内容】
【特許請求の範囲】
【請求項１】
少なくとも１つのブリスタ（８）および蓋ホイル（１３）を有するブリスタパック（２）から、服用量ユニット（３）を取り出すためのブリスタパック装置（１）であって、
ヒンジ（６）を介して互いに接続された第１のアーム（４）および第２の梃子アーム（５）を備え、
第１のアームは、服用量ユニットが押し出されるときに通過する開口窓（９）を有し、
第２の梃子アームは、第１のアーム上に配設されたブリスタの上方から押し下げられたとき、ブリスタから服用量ユニットを押し出すための突出部（１０）を有し、
突出部は、ブリスタパックのブリスタ内の服用量ユニットに押圧力を加えて、蓋ホイル（１３）を破砕し始めるための第１の領域（１１）と、服用量ユニットの全体に押圧力を配分し、服用量ユニットを押し出すための第２の領域（１４）とを有することを特徴とする装置。
【請求項２】
請求項１に記載の装置であって、
第１の領域（１１）は、梃子アームが押し下げられたとき、服用量ユニットを収容するブリスタの外側端部に押圧力が加わるように、突出部（１０）の遠位端に配置された尖端（１２）を有することを特徴とする装置。
【請求項３】
請求項２に記載の装置であって、
ブリスタに対向する尖端（１２）の面積は、突出部（１０）のおよそ１／４倍であることを特徴とする装置。
【請求項４】
請求項１〜３のいずれか１に記載の装置であって、
第２の領域（１４）は、ブリスタに対向し、服用量ユニットの全体に押圧力を配分するための面（１５）であって、突出部（１０）のおよそ３／４倍の面積を有するものを含むことを特徴とする装置。
【請求項５】
請求項１〜４のいずれか１に記載の装置であって、
突出部（１０）が梃子アームに配設され、梃子アーム（５）が第１のアーム（４）に向かって押し下げられたとき、突出部が第１のアームの開口窓（９）内に嵌合することを特徴とする装置。
【請求項６】
請求項１〜５のいずれか１に記載の装置であって、
第１のアームは、ブリスタパックのブリスタが開口窓（９）ならびに突出部（１０）に位置合わせして配置するためのガイド手段（７）を有することを特徴とする装置。
【請求項７】
請求項６に記載の装置であって、
ガイド手段（７）は、梃子アーム（５）の下方であって、かつ、開口窓（９）の上方にあるブリスタパックのブリスタ（８）を配置するための、開口窓（９）を部分的に包囲するＵ字状凹み（２１）含むガイドプレート（２０）を有することを特徴とする装置。
【請求項８】
請求項７に記載の装置であって、
第１のアームとガイドプレート（２０）との間に、ブリスタパックを収容するためのギャップ（２２）が設けられていることを特徴とする装置。
【請求項９】
請求項７または８に記載の装置であって、
ガイドプレート（２０）は、開口窓（９）を部分的に包囲し、ブリスタをガイドプレート内に固定する少なくとも１つ脚部（２３）を有することを特徴とする装置。
【請求項１０】
請求項６に記載の装置であって、
ガイド手段（７）は、第１のアーム（４）と同じ材料からなる少なくとも１つの突起部（３０）を有し、突起部は、ブリスタパック（２）の外縁にある少なくとも１つの対応する切り込み（３１）に嵌合するように構成され、ブリスタパックのブリスタが梃子アームの下方であって開口窓の上方に配置されることを特徴とする装置。
【請求項１１】
請求項１０に記載の装置であって、
ガイド手段（７）は、第１のアームの開口窓の両側に配置された２つの突起部（３０）を有することを特徴とする装置。
【請求項１２】
請求項１または１１に記載の装置であって、
下側アームの開口窓（９）の遠位端において、ブリスタパックの蓋ホイル（１３）を引き裂き始める端部（３２）を有することを特徴とする装置。
【請求項１３】
請求項１２に記載の装置であって、
端部（３２）は、ピラミッド形状を有することを特徴とする装置。
【請求項１４】
請求項１〜１３のいずれか１に記載の装置であって、
第１のアームは、長手方向にそれぞれ沿って配置された棚部（１７）を有することを特徴とする装置。
【請求項１５】
請求項１〜１４のいずれか１に記載の装置であって、
突出部（１０）と梃子アームの遠位端（１６）の間の距離（ｂ）が、突出部（１０）とヒンジ（６）の間の距離（ａ）より大きいことを特徴とする装置。
【請求項１６】
請求項１５に記載の装置であって、
距離（ａ）および距離（ｂ）の比の関係（ｂ／ａ）が１．５〜５の値を有することを特徴とする装置。
【請求項１７】
請求項１〜１６のいずれか１に記載の装置であって、
第１のアーム（４）および梃子アーム（５）は実質的に同じ長さを有することを特徴とする装置。
【請求項１８】
請求項１〜１７のいずれか１に記載の装置であって、
プラスティック材料で形成されていることを特徴とする装置。
【請求項１９】
請求項１に記載の装置を用いて、ブリスタパックから服用量ユニットを押し出す方法であって、
服用量ユニットが押し出されるときに通過する開口窓（９）に位置合わせして、ブリスタパックのブリスタ（８）を配置するステップと、
ブリスタ内の服用量ユニットがブリスタパックの蓋ホイル（１３）を引き裂き始め、ブリスタから押し出されるように、押圧力を梃子アーム（５）に加えるステップとを有することを特徴とする方法。
【請求項２０】
請求項１〜１８に記載の装置の使用。
【手続補正書】
【提出日】平成21年9月14日(2009.9.14)
【手続補正１】
【補正対象書類名】特許請求の範囲
【補正対象項目名】全文
【補正方法】変更
【補正の内容】
【特許請求の範囲】
【請求項１】
標的組織に放射線を局所的に眼内送達するための装置であって、
眼に挿入するよう大きさが決められ、近位端および遠位端を有するカニューレと、
カニューレの遠位端に位置するよう適合される放射線放出源と、
カニューレの遠位端に位置する超音波トランスデューサと
を含む装置。
【請求項２】
超音波トランスデューサは、放射線放出源に近接するカテーテルの遠位端に位置する、請求項１記載の装置。
【請求項３】
超音波トランスデューサは、放射線放出源に対して遠位のカニューレの遠位端に位置する、請求項１記載の装置。
【請求項４】
標的組織に治療的処置を局所的に眼内送達する装置であって、
眼に挿入するよう大きさが決められ、近位端および遠位端を有するカニューレと、
カニューレの遠位端に位置されるよう適合される治療的処置源であって、治療的処置を送達するために標的組織から所定の距離で離間されることが意図される源と、
カニューレの遠位端から二本の可視光線を投射するよう適合される少なくとも一つの光源であって、光線は交点を形成し、交点が標的組織に一致すると処置源が標的組織から所定の距離で離間されている光源と
を含む装置。
【請求項５】
光源は光管である、請求項４記載の装置。
【請求項６】
光源はレーザである、請求項４記載の装置。
【請求項７】
標的組織に治療的処置を局所的に眼内送達する装置であって、
眼に挿入するよう大きさが決められ、摩擦を減少するよう窪みが形成された表面を有するカニューレ
を含む装置。
【請求項８】
標的組織に放射線を局所的に眼内送達する装置であって、
眼に挿入するよう大きさが決められ、近位端および遠位端を有するプローブと、
プローブの遠位端に位置するよう適合される所定の長さを有する放射線放出源であって、近位端および遠位端を有する放射線放出源と、
標的組織によって略画定される面に対してある角度でプローブの遠位端に方向付けられる場合、放射線放出源によって略対称的な線量プロフィールが標的組織に送達されるように、放射線放出源の近位端よりも放射線放出源の遠位端でより多量の放射線を遮断するプローブの遠位端に付随しているフィルタとを含む装置。
【請求項９】
フィルタは、放射線放出源の近位端に隣接するよりも放射線放出源の遠位端に隣接する方が、厚さが大きい、請求項８記載の装置。
【請求項１０】
フィルタは、放射線放出源の近位端に隣接するよりも放射線放出源の遠位端に隣接する方が、より高い密度を有する、請求項８記載の装置。
【請求項１１】
標的組織にｘ線放射線を局所的に眼内送達する装置であって、
眼に挿入するよう大きさが決められ、近位端および遠位端を有するカニューレと、
カニューレの遠位端内のカソードと、
カニューレの遠位端上のアノードと、
ｘ線放射線を減衰するためにアノードに近接してカニューレの遠位端に付随している高密度金属層であって、ｘ線放射線を実質的に妨げられずに通過させるよう減少された厚さの領域を有し、開口部が、標的組織にｘ線放射線を方向付けて制限するよう位置されて大きさが決められる、高密度金属層とを含む装置。
【請求項１２】
標的組織にｘ線放射線を局所的に眼内送達する装置であって、
眼に挿入するよう大きさが決められ、近位端および遠位端を有するカニューレと、
カニューレの遠位端内のカソードと、
カニューレの遠位端上のアノードと
を備え、
カニューレの遠位端およびアノードが半球形状を有している装置。
【請求項１３】
標的組織にｘ線放射線を局所的に眼内送達する装置であって、
眼に挿入するよう大きさが決められ、近位端および遠位端を有するカニューレと、
カニューレの遠位端内のカソードと、
カニューレの遠位端上のアノードと
を備え、
ニューレの遠位端およびアノードが略平坦であり、カニューレの遠位端の長手軸に対して略垂直に方向付けられている装置。
【請求項１４】
カニューレの遠位端は、ｘ線透過材料を含む、請求項４３記載の装置。
【請求項１５】
カニューレの遠位端は、標的組織によって受けられるｘ線放射線を減衰するｘ線遮断材料を含む、請求項１４記載の装置。
【手続補正書】
【提出日】平成21年11月5日(2009.11.5)
【手続補正１】
【補正対象書類名】特許請求の範囲
【補正対象項目名】全文
【補正方法】変更
【補正の内容】
【特許請求の範囲】
【請求項１】
体内における窩洞を取り囲む組織を治療するための小線源療法治療装置であって、
近接端部および遠位端部を備える伸張体であって、組織を通る管路に導入されるための形状を有するものと、
上記遠位端部における複数の細長い管状部材であって、上記伸張体遠位端部に連結された遠位端部、近接端部、および放射線源を受け入れるための管腔を有するものとを備え、これら管状部材は、組織管路を通って対象位置へ導入されるための折りたたみ形状から、上記対象位置において三次元的アレイの経路を提供するための展開形状へと移動可能であり、
上記管状部材の上記近接端部に連結されたハブを備え、このハブは、上記伸張体に対して可動であることによって上記管状部材を上記折りたたみ形状から上記展開形状に移動させることが可能であり、
上記対象位置に対して放射線を供給するための、上記管腔に沿って導入可能な放射線源、を備える装置。
【請求項２】
体内における窩洞を取り囲む組織を治療するための小線源療法治療装置であって、
近接端部および遠位端部を備える伸張体であって、組織を通る管路に導入されるための形状を有するものと、
上記遠位端部における複数の管状部材であって、上記伸張体遠位端部に連結された遠位端部、近接端部、および放射線源を受け入れるための管腔を有するものとを備え、これら管状部材は、組織管路を通って対象位置へ導入されるための折りたたみ形状から、上記対象位置において三次元的アレイの経路を提供するための展開形状へと移動可能であり、
複数の開口部であって、それぞれの管腔と連通して上記放射線源を上記管腔に挿入するものと、
上記管状部材の上記近接端部に連結されたハブとを備え、このハブは、上記伸張体に対して可動であることによって上記管状部材を上記折りたたみ形状から上記展開形状に移動させ得る、装置。
【請求項３】
体内における窩洞を取り囲む組織を治療するための小線源療法治療装置であって、
近接端部および遠位端部を備える伸張体であって、組織を通る管路に導入されるための形状を有するものと、
上記遠位端部における複数の細長い管状部材であって、放射線源を受け入れるための管腔を有するものとを備え、これら管状部材は、組織管路を通って対象位置へ導入されるための折りたたみ形状から、上記対象位置において三次元的アレイの経路を提供するための展開形状へと移動可能であり、
上記対象位置に対して放射線を供給するための、上記管腔に沿って導入可能な放射線源を備え、
上記管状部材は、第１セットおよび第２セットの管状部材を含み、上記第１セット管状部材は、上記伸張体の中心軸から間隔を空けられることによって、上記展開形状において上記第１セット管状部材がおおむね第１の最大直径を画定し、上記第２セット管状部材は、上記中心軸から間隔を空けられることによって、上記展開形状において上記第２セット管状部材がおおむね第１の最大直径よりも小さい第２の最大直径を画定する、装置。
【請求項４】
上記第２セット管状部材は、上記中心軸を中心にして上記第１セット管状部材から角度をなしてオフセットされている、請求項３に記載の装置。
【請求項５】
上記第１セット管状部材は、上記展開形状においてアメリカンフットボール型、西瓜形およびおおむね球体型のうちいずれか１つの形状を画定するものであって、上記第２セット管状部材は、上記展開形状において上記第１セット管状部材よりも小さな形状を画定するものである、請求項３に記載の装置。
【請求項６】
上記管状部材が上記展開形状において間隔を空けられることによって、上記対象位置における組織が上記管状部材の間に陥入する、請求項１から５までのいずれか一つに記載の装置。
【請求項７】
上記管状部材の上記近接端部に連結されたハブをさらに備え、このハブは、上記伸張体に対して可動であることによって上記管状部材を上記折りたたみ形状から上記展開形状に移動させることが可能である、請求項４に記載の装置。
【請求項８】
上記伸張体は、コア部材であって、上記近接端部から上記遠位端部まで延伸し、かつ上記管状部材の上記遠位端部に対して連結されたものを有し、上記ハブは、上記管状部材の上記近接端部に対して連結された外側部材を有し、これら外側部材は、上記コア部材の周りを摺動可能に配置されている、請求項１、２または７に記載の装置。
【請求項９】
上記外側部材は、上記管状部材の上記管腔に連通する通路を有する、請求項８に記載の装置。
【請求項１０】
上記ハブは、それぞれの上記管腔と連通し、かつ上記管腔に沿って上記放射線源を導入するための複数の開口部を有する、請求項１、２、７または８に記載の装置。
【請求項１１】
上記ハブは、上記管状部材のそれぞれの上記管腔を特定するための１つ以上のインデックスを有する、請求項１、２、７、８、９または１０に記載の装置。
【請求項１２】
上記各管状部材は、補強部材であって、上記管状部材が折りたたまれた形状から展開された形状に移動された場合に上記管状部材を所望する方向に保持するためのものを有する、請求項１から１１までのいずれか一つに記載の装置。
【請求項１３】
上記放射線源は、放射性要素を収容する複数の容器であって、上記管状部材のそれぞれの上記管腔に沿って導入され得るものを有する、請求項１から１２までのいずれか一つに記載の装置。
【請求項１４】
上記放射線源は、放射線生成手段であって、上記管状部材のそれぞれの上記管腔に沿って順次挿入され得るものを有する、請求項１から１２までのいずれか一つに記載の装置。
【請求項１５】
上記放射線生成手段は、ＨＤＲ放射線源である、請求項１４に記載の装置。
【請求項１６】
上記伸張体の上記遠位端部は、組織を貫通するために尖っている、請求項１から１５までのいずれか一つに記載の装置。
【請求項１７】
作動手段であって、上記ハブを上記伸張体の上記遠位端部に対して移動させて上記管状部材を上記折りたたみ形状と上記展開形状との間で移動させるものをさらに備える、請求項１、２、７、８、９、１０または１１に記載の装置。
【請求項１８】
上記管状部材は、第１セットおよび第２セットの管状部材を含み、上記第１セット管状部材は、上記伸張体の中心軸から間隔を空けられることによって、上記展開形状において上記第１セット管状部材がおおむね第１の最大直径を画定し、上記第２セット管状部材は、上記中心軸から間隔を空けられることによって、上記展開形状において上記第２セット管状部材がおおむね第１の最大直径よりも小さい第２の最大直径を画定する、請求項１または３に記載の装置。
【請求項１９】
上記第２セット管状部材は、上記中心軸を中心にして上記第１セット管状部材から角度をなしてオフセットされている、請求項１８に記載の装置。
【請求項２０】
第２のセットは、単一の管状部材からなる、請求項２、１８または１９に記載の装置。
【請求項２１】
上記展開形状において、上記第２セット管状部材の１つの管状部材は、上記第１セット管状部材内の２つの隣接する管状部材の間に配置されてより上記中心軸に近い、請求項２、１８または１９に記載の装置。